(57)【要約】【課題】仮設養生体と揚重作業用ステージとを同時に設置することができる。【解決手段】縦穴貫通部２内に設けられたフレーム１１と、フレーム１１を建物３の躯体に支持させる支持部１２と、フレーム１１内に設けられた荷揚機構１３と、フレーム１１と縦穴貫通部２の外周部２ａとの間に設けられた足場部１４とを備える。支持部１２は、フレーム１１の高さ方向の中間部に設けられたフレーム側アーム受け部材２１と、フレーム側アーム受け部材２１の先端部に設けられた鉛直方向に延びる長尺のガイドレール２２と、ガイドレール２２に設置されて向かい合う縦穴貫通部２の外周部２ａに直交する面内において回転可能なアーム２３とから構成される。【選択図】図１
2010270545.tif 000002
【特許請求の範囲】
【請求項１】
内部に吹き抜けや立体駐車場などの縦穴貫通部を備える建物の施工時に、前記縦穴貫通部に設置されて、前記縦穴貫通部の外周の垂直養生や足場などの仮設養生体と、資材を揚重するための揚重作業用ステージとが一体化し、盛り替え可能な仮設構造体であって、
前記縦穴貫通部内に設けられたフレームと、
前記フレームを前記建物に支持させる支持部と、
前記フレームに固定された前記揚重作業用ステージと、
前記フレームと前記縦穴貫通部との間に設けられて前記フレームに固定された前記仮設養生体とを備えることを特徴とする仮設養生体と揚重作業用ステージとが一体化した仮設構造体。
【請求項２】
前記支持部は、前記フレームに支持されて前記縦穴貫通部の外周に直交する鉛直面内において回転可能なアームと、前記フレームに設けられて前記アームの回転を規制すると共に前記アームを水平状態に保持するフレーム側アーム保持部材とを備え、水平状態に保持された前記アームは前記縦穴貫通部から前記建物側に突出して前記建物に支持されることを特徴とする請求項１に記載の仮設養生体と揚重作業用ステージとが一体化した仮設構造体。
【請求項３】
前記アームは回転軸から前記フレーム側の先端までの重量が前記回転軸から前記建物側の先端までの重量よりも重いことを特徴とする請求項２に記載の仮設養生体と揚重作業用ステージとが一体化した仮設構造体。
【請求項４】
前記建物よって支持された前記アームの側方には、建物に支持されたアームふれ止め部材を備えることを特徴とする請求項２または３に記載の仮設養生体と揚重作業用ステージとが一体化した仮設構造体。
【請求項５】
前記フレームには軸方向を鉛直方向とするガイドレールが設けられており、前記建物には盛り替え時に上方へ移動するガイドレールの横揺れを防止するガイド部材が設けられていることを特徴とする請求項１乃至４のいずれかに記載の仮設養生体と揚重作業用ステージとが一体化した仮設構造体。
【請求項６】
前記揚重作業用ステージは、前記フレームの前記資材を荷揚する階に取り付けられた荷揚げ側ステージと、前記フレームの前記資材を荷受けする階に取り付けられた荷受け側ステージとを備え、前記荷揚げ側ステージと前記荷受け側ステージとは上下方向に重ならないことを特徴とする請求項１乃至５のいずれかに記載の仮設養生体と揚重作業用ステージとが一体化した仮設構造体。
【請求項７】
前記揚重作業用ステージには前記揚重作業用ステージと前記建物との間を塞ぐ渡し板が設けられていて、前記渡し板は前記揚重作業用ステージに鉛直方向に回転可能に保持されていることを特徴とする請求項１乃至６のいずれかに記載の仮設養生体と揚重作業用ステージとが一体化した仮設構造体。
【請求項８】
前記仮設養生体は、前記フレームに固定されて軸方向を鉛直方向とする鋼管と、前記鋼管に取り付けられたブラケットと、前記ブラケットの上に配設された足場用の板部材であることを特徴とする請求項１乃至７のいずれかに記載の仮設養生体と揚重作業用ステージとが一体化した仮設構造体。
【発明の詳細な説明】
【技術分野】
【０００１】
本発明は、内部に吹き抜けや立体駐車場などの縦穴貫通部を備える建物の施工時に縦穴貫通部に設置されて、縦穴貫通部の外周の垂直養生や足場などの仮設養生体と、資材を揚重するための揚重作業用ステージとが一体化し、盛り替えが可能な仮設構造体に関する。
【背景技術】
【０００２】
周知のように、建物の施工時に建物の外周面には仮設養生体が設置されている。特許文献１によれば、盛り替え作業を効率よく行うことができる仮設養生体が提案されている。
この仮設養生体には、施工済みの躯体から突出して設けられたブラケットと、ブラケットの先端部の両側を挟み込む状態に設置されて盛り替え時における仮設養生体の上下方向の移動をブラケットによって案内するためのガイド部材と、ガイド部材に設けられていてブラケットの先端部に係合可能な係合ピンとからなる支持機構が設けられている。
【０００３】
この係合ピンは、外壁に平行な面内において回動可能な状態でその中間部をガイド部材に対して軸支するように設けられると共に、水平姿勢とした状態でその先端部をガイド部材に対して係合させて先端部のそれ以上の上方への回動を拘束している。そして、この状態において、係合ピンの先端部はブラケットの先端部上面に係合して仮設養生体を支持可能である。また、係合ピンは先端側を常に上方に回動させる方向に付勢されており、仮設養生体の盛り替え時における上昇の際には、係合ピンの先端部はブラケットの先端部下面に当接し相対的に押し下げられるのでブラケットの側方を通過できる。また、通過後には係合ピンは自ずと水平姿勢に復帰可能に構成されている。
【０００４】
また、建物の施工時には、資材を上階へ揚重するための荷揚げ用ステージ（揚重作業用ステージ）が設置されている。特許文献２によれば、荷揚げ用ステージや安全通路に兼用できるパネルが提案されている。
このパネルには、水平に配置された少なくとも２本の細長棒の芯材が平行に配設されて、両芯材の略上半分の位置に芯材を連結する横棒が配置されている。そして、各横棒の上下面にはそれぞれ床材が設けられて、芯材の上下面には複数の手摺取付穴が設けられている。
【先行技術文献】
【特許文献】
【０００５】
【特許文献１】特開２００５−３０７５９６号公報
【特許文献２】特開平７−２９２９６０号公報
【発明の概要】
【発明が解決しようとする課題】
【０００６】
超高層の集合住宅などの建物において、内部に吹き抜けや立体駐車場などがある場合には、このスペースに荷揚げ用ステージを設置して、ホイストなどで荷揚げを行うことにより、クレーン付加の低減や工期の短縮を図っている。
しかしながら、建物内部の吹き抜けや立体駐車場などの縦穴貫通部の外周には、建物の外周部と同様に垂直養生や足場などの仮設養生体が必要となり、荷揚げ用ステージと養生仮設体とを同時に設置することができないという問題があった。そして、荷揚げ用ステージと仮設養生体とは盛り替える必要があり、この盛り替えには長時間クレーンを拘束することになるので、労力や時間が必要であった。
【０００７】
本発明は、上述する問題点に鑑みてなされたもので、仮設養生体と揚重作業用ステージとを同時に設置することができる仮設養生体と揚重作業用ステージとが一体化した仮設構造体を提供することを目的とする。
【課題を解決するための手段】
【０００８】
上記目的を達成するため、本発明に係る仮設養生体と揚重作業用ステージとが一体化した仮設構造体は、内部に吹き抜けや立体駐車場などの縦穴貫通部を備える建物の施工時に、縦穴貫通部に設置されて、縦穴貫通部の外周の垂直養生や足場などの仮設養生体と、資材を揚重するための揚重作業用ステージとが一体化し、盛り替え可能な仮設構造体であって、縦穴貫通部内に設けられたフレームと、フレームを建物に支持させる支持部と、フレームに固定された揚重作業用ステージと、フレームと縦穴貫通部との間に設けられてフレームに固定された仮設養生体とを備えることを特徴とする。
本発明では、縦穴貫通部内に設けられたフレームと、フレームを建物に支持させる支持部と、フレーム内に設けられた揚重作業用ステージと、フレームと縦穴貫通部との間に設けられてフレームに固定された仮設養生体とを備えることにより、フレームを介して揚重作業用ステージと仮設養生体とが一体化するので、縦穴貫通孔内に揚重作業用ステージと仮設養生体とを同時に設置することができる。また、揚重作業用ステージと仮設養生体とがフレームを介して一体化していることにより、盛り替え時には揚重作業用ステージと仮設養生体とをばらさずにフレームを引き上げればよいので、盛り替えを容易に行うことができる。
【０００９】
また、本発明に係る仮設養生体と揚重作業用ステージとが一体化した仮設構造体では、支持部は、フレームに支持されて縦穴貫通部の外周に直交する鉛直面内において回転可能なアームと、フレームに設けられてアームの回転を規制すると共にアームを水平状態に保持するフレーム側アーム保持部材とを備え、水平状態に保持されたアームは縦穴貫通部から建物側に突出して建物に支持されることを特徴とする。
本発明では、支持部は、フレームに支持されて縦穴貫通部の外周に直交する鉛直面内において回転可能なアームと、フレームに設けられてアームの回転を規制すると共にアームを水平状態に保持するフレーム側アーム保持部材とを備え、水平状態に保持されたアームは縦穴貫通部から建物側に突出して建物に支持されることにより、フレームを建物に支持させることができる。また、アームは回転可能なので、盛り替え時にはアームを回転させて縦穴貫通部から建物側に突出しない状態とすることができる。
【００１０】
また、本発明に係る仮設養生体と揚重作業用ステージとが一体化した仮設構造体では、アームは回転軸からフレーム側の先端までの重量が回転軸から建物側の先端までの重量よりも重いことを特徴とする。
本発明では、アームは回転軸からフレーム側の先端までの重量が回転軸から建物側の先端までの重量よりも重いことにより、アームは常時フレーム側に倒れフレーム側受け部材に保持されて水平状態となるので、この状態で建物に支持されてフレームを建物に支持させることができる。また、盛り替え時に、万が一フレームが落下しても、途中の階で止まるので、地上まで落下することがない。
【００１１】
また、本発明に係る仮設養生体と揚重作業用ステージとが一体化した仮設構造体では、建物側アーム受け部材によって支持されたアームの側方には、アームふれ止め部材を備えること好ましい。
本発明では、建物にアームを支持する際にアームの側方に配設されたアームふれ止め部材を備えることにより、アームの水平方向の移動を抑制することができる。
【００１２】
また、本発明に係る仮設養生体と揚重作業用ステージとが一体化した仮設構造体では、フレームには軸方向を鉛直方向とするガイドレールが設けられており、建物には盛り替え時にガイドレール側方に位置しガイドレールの横揺れを防止するガイド部材が設けられていることが好ましい。
本発明では、フレームには軸方向を鉛直方向とするガイドレールが設けられており、建物には盛り替え時にガイドレール側方に位置しガイドレールの横揺れを防止するガイド部材が設けられていることにより、盛り替え時にフレームの横揺れを防止することができる。
【００１３】
また、本発明に係る仮設養生体と揚重作業用ステージとが一体化した仮設構造体では、揚重作業用ステージは、フレームの資材を荷揚する階に取り付けられた荷揚げ側ステージと、フレームの資材を荷受けする階に取り付けられた荷受け側ステージとを備え、荷揚げ側ステージと荷受け側ステージとは上下方向に重ならないことを特徴とする。
本発明では、荷揚げ側ステージと荷受け側ステージとは上下方向に重ならないことにより、荷揚げ側ステージに搬入された資材を鉛直方向に吊り上げて、荷受け側ステージへ移動しておろせばよいので、容易に荷揚げ作業を行うことができる。
【００１４】
また、本発明に係る仮設養生体と揚重作業用ステージとが一体化した仮設構造体では、揚重作業用ステージには揚重作業用ステージと建物との間を塞ぐ渡し板が設けられていて、渡し板は荷揚げ用ステージに鉛直方向に回転可能に保持されていることが好ましい。
本発明では、揚重作業用ステージには揚重作業用ステージと建物との間を塞ぐ渡し板が設けられていて、渡し板は揚重作業用ステージに鉛直方向に回転可能に保持されていることにより、建物と揚重作業用ステージとの資材の搬入が行いやすい。また、渡し板は回転可能に保持されていることにより、回転させて立てる、または反対側へ倒せば、盛り替え作業時に渡し板が邪魔になることなく、作業が行いやすい。
【００１５】
また、本発明に係る仮設養生体と揚重作業用ステージとが一体化した仮設構造体では、仮設養生体は、フレームに固定されて軸方向を鉛直方向とする鋼管と、鋼管に取り付けられたブラケットと、ブラケットの上に配設された足場用の板部材であることを特徴とする。
本発明では、仮設養生体は、フレームに固定されて軸方向を鉛直方向とする鋼管と、鋼管に取り付けられたブラケットと、ブラケットの上に配設された足場用の板部材であることにより、仮設構造体がフレームに固定された構造とすることができ、フレームに設けられた揚重作業用ステージと一体化することができる。
また、ブラケットの取り付け高さを調整することにより、階高の異なる場合にも任意の位置に足場を取り付けることができる。
【発明の効果】
【００１６】
本発明によれば、縦穴貫通部内に設けられたフレームを介して揚重作業用ステージと仮設養生体とが一体化されていることにより、揚重作業用ステージと仮設養生体とを同時に設置することができるので、足場と荷揚げ機構との盛り替え作業の必要がなく、工期を短縮できて労力やコストを軽減させることができる。
【図面の簡単な説明】
【００１７】
【図１】本発明の実施の形態による足場一体式荷揚げ用ユニットの一例を示し、図２のＡ−Ａ線断面図である。
【図２】図１のＢ−Ｂ線断面図である。
【図３】図１のＣ−Ｃ線断面図である。
【図４】（ａ）は通常時の支持部材を示す平面図で、（ｂ）は（ａ）の側面図である。
【図５】図１のＤ−Ｄ線断面図である。
【図６】図１のＥ−Ｅ線断面図である。
【図７】盛り替え時の支持部材を示す側面図である。
【発明を実施するための形態】
【００１８】
以下、本発明の実施の形態による足場一体式荷揚げ用ユニットについて、図１乃至図７に基づいて説明する。
図１、２に示すように、本実施の形態による足場一体式荷揚げ用ユニット（仮設養生体と揚重作業用ステージとが一体化した仮設構造体）１は、内部に大型の吹き抜けや立体駐車場などの縦穴貫通部２を備える超高層ＲＣ集合住宅などの建物３の施工時に、縦穴貫通部２内に設置されて、資材を下階から上階へ荷揚する役割と、縦穴貫通部２の外周部２ａの壁の施工などに使用する足場の役割を果たしている。
足場一体式荷揚げ用ユニット１は、縦穴貫通部２内に設けられたフレーム１１と、フレーム１１を建物３の躯体に支持させる支持部１２と、フレーム１１内に設けられた荷揚機構１３と、フレーム１１と縦穴貫通部２の外周部２ａとの間に設けられた足場部１４とから概略構成されている。この足場一体式荷揚げ用ユニット１は下階から上階へ所定の階数毎に盛り替えて使用されている。
【００１９】
フレーム１１は、資材を荷揚げする階３ａから資材を荷受けする階３ｂの上部にわたって、縦穴貫通部２内に鋼材や鋼管などによって略直方体状に組まれた骨組み体である。図２に示すようにフレーム１１の平面形状は、縦穴貫通部２の内部の平面形状に対して小さく形成されていて、フレーム１１の周辺で、フレーム１１と縦穴貫通部２の外周部２ａとの間には足場部１４を設置可能なスペースが設けられている。
【００２０】
図１および図３に示すように、支持部１２は、フレーム１１の高さ方向の中間部に設けられたフレーム側アーム受け部材２１と、フレーム側アーム受け部材２１の先端部に設けられた鉛直方向に延びる長尺のガイドレール２２と、ガイドレール２２に設置されて向かい合う縦穴貫通部２の外周部２ａに直交する面内において回転可能なアーム２３とから概略構成される。支持部１２はフレーム１１に複数設けられて、例えばフレーム１１の四隅に設けられるなど、フレーム１１に対して均等に配置されている。
また、建物３には、足場一体式荷揚げ用ユニット１が建物３に支持されている時にアーム２３の側方に位置するアームふれ止め２７と、足場一体式荷揚げ用ユニット１の盛り替え時にガイドレール２２を受けるガイド部材２８とが設けられている。
【００２１】
フレーム側アーム受け部材２１は、フレーム１１から水平方向に張り出すようにフレーム１１に固定されたＨ形鋼などの形鋼などである。図３に示すように、複数のフレーム側アーム受け部材２１を補強材２５などで連結してもよい。
【００２２】
図１および図４（ａ）、（ｂ）に示すように、ガイドレール２２は、階高寸法よりも少し長い一対のＬ形鋼２２ａなどで形成されて、一対のＬ形鋼２２ａの間にはアーム２３が設置されている。ガイドレール２２は、下部側がフレーム側アーム受け部材２１に固定されて、上部側が後述する荷揚機構１３の荷受け側ステージ３２を構成する鋼材３５に固定されている。この鋼材３５はフレーム１１に固定されている。
なお、ガイドレール２２の長さは任意に設定することができる。
【００２３】
図４（ａ）、（ｂ）に示すように、アーム２３は、Ｈ形鋼などの形鋼などで形成されていて、ガイドレール２２およびアーム２３を貫通する回転ピン２６によって図４（ｂ）中の矢印（ア）及び（イ）の方向に回転可能に保持されている。回転ピン２６はフレーム側アーム受け部材２１よりも高い位置に設置されている。
アーム２３が回転する軌道にはフレーム側アーム受け部材２１が配設されており、回転するアーム２３はフレーム側アーム受け部材２１にあたることで回転が止められている。このとき、アーム２３にはフレーム側アーム受け部材２１の上面２１ａと回転ピン２６との高さの差を調整する調整材２３ａが備えられていて、調整材２３ａはフレーム側アーム受け部材２１とあたったアーム２３が水平状態となるようにその高さが調整されている。
また、アーム２３は、回転ピン２６から調整材２３ａを備えている側の重量が、その反対側の重量よりも重く、常にフレーム側アーム受け部材２１とあたった状態で水平となるように形成されている。
【００２４】
アーム２３は、水平状態において建物側の端部２３ｂが縦穴貫通部２から建物３側に突出する大きさに形成されており、支持部１２によってフレーム１１が建物３に支持されるときには、アーム２３の建物側の端部２３ｂは建物３の所定の階の床上に配設される。このとき、アーム２３には建物３の床から受ける反力によって、図４（ｂ）中の矢印（ア）の方向へ回転する力が作用するが、フレーム側アーム受け部材２１によってこの回転が阻止されて、アーム２３は水平状態を保つことができる。そして、アーム２３が建物３の床に引っかかった状態となるのでフレーム１１を建物３に支持させることができる。
【００２５】
アームふれ止め部材２７は、アーム２３の幅よりやや大きい間隔をあけて、アーム２３の側面に直交する向きに配設された板状の部材である。アーム側方部材２７は、フレーム１１に水平方向の力が作用してアーム２３にこの力が作用した際に、アーム２３がアーム側方部材２７に接触することによって、この水平荷重を受けてアーム２３の水平方向の変位を抑制することができる。
なお、アーム側方部材２７はアーム２３の両側方に配設された棒状などの部材や、アーム２３の幅の凹部を備える溝形鋼などでもよく、またアーム２３の側面に平行な板状の部材としてもよい。
【００２６】
ガイド部材２８は、建物３から縦穴貫通部２に突出するように設けられた一対のＬ形鋼などで、図４（ａ）に示すように、ガイド部材２８の先端部には、切欠き部２８ａが形成されている。一対のガイド部材２８の先端は、ガイドレール２２の両側方にガイドレール２２を挟むよう位置している。
ガイド部材２８は、足場一体式荷揚げ用ユニット１の盛り替え時に、ガイドレール２２の横揺れを抑制するもので、足場一体式荷揚げ用ユニット１の横揺れを抑制することができる。
【００２７】
荷揚機構１３は、図１に示すように、資材を荷揚する階３ａのフレーム１１に取り付けられた荷揚げ側ステージ（揚重作業用ステージ）３１と、資材を荷受けする階３ｂのフレーム１１に取り付けられた荷受け側ステージ（揚重作業用ステージ）３２と、荷受け側ステージ３２の上方に設けられて、荷揚げ側ステージ３１から荷受け側ステージ３２へ資材を吊り上げる荷揚装置３３と、荷揚げ側ステージ３１および荷受け側ステージ３２と建物３との間に設けられた渡し板３４とから概略構成される。
【００２８】
荷揚げ側ステージ３１は、図１および５に示すように、フレーム１１に固定された鋼材３５の上にパネル材３６が配設された構成で、パネル材３６の幅はフレーム１１の幅より大きく、奥行きはフレーム１１の奥行きの半分に形成されている。
荷受け側ステージ３２は、図１および６に示すように荷揚げ側ステージ３１と同様にフレーム１１に固定された鋼材３５の上にパネル材３６が配設された構成で、パネル材３６の幅はフレーム１１の幅より大きく、奥行きはフレーム１１の奥行きの半分に形成されている。
なお、荷揚げ側ステージ３１およびに受け側ステージ３２の奥行きは、フレーム１１の奥行きの半分に形成されることに限定されるものではない。
荷揚げ側ステージ３１と荷受け側ステージ３２とは、奥行き方向の位置をずらし、上下方向に重ならないように配置されている。
荷揚げ側ステージ３１および荷受け側ステージ３２の外周には、適宜手摺が設けらている。
【００２９】
渡し板３４は、荷揚げ側ステージ３１および荷受け側ステージ３２のパネル材３６に、回転可能に保持された板部材で、水平に倒した状態で荷揚げ側ステージ３１および荷受け側ステージ３２と建物３との間を塞ぐことができる。また、図１に示すように、渡し板３４は立てた状態にすることができる。
【００３０】
荷揚装置３３は、荷受け側ステージ３２の上方のフレーム１１に設けられたトロリーホイストなどである。
【００３１】
上述した構成の荷揚機構１３による資材の荷揚は、まず、建物３内に搬入された資材を、荷揚げ側ステージ３１に台車などで搬入する。このとき渡し板３４を水平状態に倒しておくことで、台車をスムーズに動かすことができる。
そして、荷揚げ側ステージ３１に搬入された資材を荷揚装置３３によって吊り上げ、荷受け側ステージ３２に下ろす。このとき、荷揚げ側ステージ３１と荷受け側ステージ３２は上下方向に重ならない位置に配設されているので、荷揚装置３３による吊り上げ作業を行いやすい。
そして、荷受け側ステージ３２に吊り上げられた資材を台車などで建物３へ搬入する。このときも渡し板３４は水平に倒された状態にする。
【００３２】
足場部１４は、図１、２に示すように、フレーム１１に水平方向に所定の間隔をあけて配設された鉛直方向に延びる鋼管４１と、鋼管４１に取り付けられたブラケット４２と、ブラケット４２の上部に配設される足場板４３と、鋼管４１および足場板４３に取り付けられる足場用の手摺４４とから構成される。
ブラケット４２は、鋼管４１の任意の高さに固定することができる。
足場板４３はフレーム１１と縦穴貫通部２の外周部２ａとの間を塞ぐことができる大きさに形成されている。
手摺４４は足場板４３の建物３側とフレーム１１側にそれぞれ設けられている。
なお、図１には示していないが、荷揚げ側ステージ３１および荷受け側ステージ３２の周辺や、支持部１２周辺にも足場部１４を設けてもよい。
【００３３】
次に、本実施の形態による足場一体式荷揚げ用ユニット１の盛り替え方法について図面を用いて説明する。
まず、渡し板３４を回転させて立てた状態とし、アーム２３以外の縦穴貫通部２から建物３へ突出する部材や資材などと、ガイド部材２８以外の建物３から縦穴貫通部２へ突出する部材や資材などがない状態とする。
【００３４】
次に、クレーンでフレーム１１を真上に引き上げる。このとき、建物３の床３ｃから離れたアーム２３は水平状態のまま上昇する。そして、アーム２３がアーム２３上方の梁などに当たると、図７に示すようにアーム２３は建物３側の端部２３ｂが下側になるように回転し、縦穴貫通部２内に納まった状態で梁などをかわして上方に引き上げることができる。さらに引き上げて梁などのない部分になると、アーム２３は回転して水平状態となる。
そして、フレーム１１を設置する位置よりもやや上方に引き上げてアーム２３が水平状態となったら、アーム２３が建物３の床に支持される位置までフレーム１１を下げて、フレーム１１を建物３に支持させる。
【００３５】
そして、アーム２３の側方にアームふれ止め部材２７を取り付け、ガイド部材２８を設置し、渡し板３４を倒す。また、不要となったアームふれ止め部材２７およびガイド部材２８は撤去する。
なお、足場部１４の高さを変更する場合には、足場部１４の高さの調整を行う。
【００３６】
次に、上述した本実施の形態による足場一体式荷揚げ用ユニットの作用について図面を用いて説明する。
本実施の形態による足場一体式荷揚げ用ユニット１では、フレーム１１を介して荷揚機構１３と足場部１４とが一体化しているので、荷揚機構１３と足場部１４とを同時に設置することができる。
また、荷揚機構１３と足場部１４とが一体化していることにより、仮設構造体の材料を少なくすることができる。
また、フレーム１１の鋼材や足場板４３などの部材の組み合わせにより、様々な寸法の建物３に適用させることができる。
【００３７】
また、足場一体式荷揚げ用ユニット１の盛り替え時において、アーム２３は梁などと接触しない場合には、水平状態に保持されているので、万が一クレーンのワイヤーが切れた場合にも、アーム２３が下階の梁や床に引っかかり、足場一体式荷揚げ用ユニット１が地上まで落下することを防ぐことができる。
また、ガイドレール２２は、一対のガイド部材２８間を上昇しているので、フレーム１１に水平方向に力が作用した場合にも、ガイドレール２２がガイド部材２８と接触することによってフレーム１１の横揺れを抑制することができる。
【００３８】
また、足場一体式荷揚げ用ユニット１をそのまま吊り上げているので、盛り替え時にも縦穴貫通部２には足場一体式荷揚げ用ユニットがある状態なので、縦穴貫通部２が開放されることがない。
また、足場一体式荷揚げ用ユニット１を吊り上げる際に、足場一体式荷揚げ用ユニット１の玉掛けおよび玉外しは、アーム２３が建物３の床に支持されて、足場一体式荷揚げ用ユニット１が建物３に支持された状態で行うことができ安全である。
【００３９】
本実施の形態による足場一体式荷揚げ用ユニット１によれば、フレーム１１を介して荷揚機構１３と足場部１４とが一体化していることにより、荷揚機構１３と足場部１４とを同時に設置することができ、荷揚機構１３と足場部１４とを盛り替えて使用することがないので手間やコストを省けて、工期を短縮することができる効果を奏する。
また、足場一体式荷揚げ用ユニット１を盛り替える際には、足場一体式荷揚げ用ユニット１をそのまま吊り上げているので、足場一体式荷揚げ用ユニット１の盛り替えにかかる時間を短縮させることができる。
【００４０】
以上、本発明による足場一体式荷揚げユニット１の実施の形態について説明したが、本発明は上記の実施の形態に限定されるものではなく、その趣旨を逸脱しない範囲で適宜変更可能である。
例えば、上述した実施の形態では、ガイドレール２２は支持部１２に取り付けられているが、支持部１２と離れた位置に取り付けられてもよい。
また、上記の実施の形態では、荷揚げ側ステージ３１と荷受け側ステージ３２は上下方向に重ならないように配設されているが、荷揚げのスペースを確保できれば、荷揚げ側ステージ３１および荷取り側ステージ３２が重なっていてもよい。
【符号の説明】
【００４１】
１  足場一体式荷揚げ用ユニット（仮設養生体と荷揚げ用ステージとが一体化した仮設構造体）
２  縦穴貫通部
３  建物
３ａ  資材を荷揚げする階
３ｂ  資材を荷受けする階  
１１  フレーム
１２  支持部
１３  荷揚機構
１４  足場部（仮設養生体）
２１  フレーム側アーム受け部材
２２  ガイドレール
２３  アーム
２７  アームふれ止め部材
２８  ガイド部材
３１  荷揚げ側ステージ（揚重作業用ステージ）
３２  荷受け側ステージ（揚重作業用ステージ）
３４  渡し板
４１  鋼管
４２  ブラケット
４３  足場板
【図１】
2010270545.tif 000003
【図２】
2010270545.tif 000004
【図３】
2010270545.tif 000005
【図４】
2010270545.tif 000006
【図５】
2010270545.tif 000007
【図６】
2010270545.tif 000008
【図７】
2010270545.tif 000009